(57)【要約】【課題】検知照度と照度レベルとの明暗に応じて監視データを発生する照明制御システムにおいて照度レベルの設定を容易に変更できる照明制御システムを提供する。【解決手段】照度センサ付き端末器２は、照明負荷による照明エリアに入射する自然光の照度を検出する照度センサ２１を具備し、照度センサ２１の検知照度を監視データとして伝送ユニットへ返送する。照度監視端末器３は、複数個で１組の照度レベルを複数組記憶する記憶部３５と、記憶部３５に記憶された複数組の照度レベルから何れかの組を選択する操作スイッチの入力を受け付ける操作入力部３４と、伝送ユニットを介して取得した照度センサ２１の検知照度と選択された組の照度レベルとの明暗に応じた監視データを発生する制御処理部３０とを備える。【選択図】図１
2011029034.tif 000002
【特許請求の範囲】
【請求項１】
対応する照明負荷の点灯状態を制御する制御用端末器と、照明負荷による照明エリアに入射する自然光の照度を検出する照度センサと、照度センサの検知照度と複数個の照度レベルとの明暗に応じて対応する照明負荷を制御するための監視データを発生する設定機能付き照度監視端末器と、制御用端末器及び設定機能付き照度監視端末器が信号線を介して接続される伝送ユニットとを備え、
伝送ユニットは、各端末器に割り当てられた個別のアドレスを用いて各端末器を識別し、各端末器との間で時分割多重伝送方式により伝送信号を授受するとともに、設定機能付き照度監視端末器から監視データを取得すると、予めアドレスの対応関係が設定された制御用端末器により対応する照明負荷を制御させており、
設定機能付き照度監視端末器は、信号線を介して伝送信号を授受する伝送処理部と、複数個で１組の照度レベルを複数組記憶する照度レベル記憶部と、照度レベル記憶部に記憶された複数組の照度レベルから所望の組の照度レベルを選択する操作を行うための選択操作部と、選択操作部によって選択された組の複数個の照度レベルと照度センサの検知照度との明暗をそれぞれ比較し、各照度レベルとの明暗に応じた監視データを発生する制御処理部とを備えたことを特徴とする照明制御システム。
【請求項２】
前記設定機能付き照度監視端末器は、対応する複数台の前記照明負荷のうち点灯させる照明負荷の組み合わせが異なる複数の監視データを記憶する監視データ記憶部を備え、前記制御処理部は、前記照度センサの検知照度と、前記照度レベル記憶部に記憶された複数個の照度レベルとの明暗に応じて、各照明負荷の所定時間当たりの制御回数が均等になるように、監視データ記憶部から選択した監視データを出力することを特徴とする請求項１記載の照明制御システム。
【発明の詳細な説明】
【技術分野】
【０００１】
本発明は、照明制御システムに関するものである。
【背景技術】
【０００２】
従来、図７に示すように、伝送ユニット１に２線式の信号線Ｌｓを介して複数個の監視用端末器７と制御用端末器４とを接続し、監視用端末器７にスイッチＳの操作やセンサの検知信号によって発生した監視入力が与えられると、制御用端末器４に設けたリレー（図示せず）が開閉され、照明負荷８に供給する商用電源ＡＣをリレーによって制御するようにした照明制御システムが提供されている。
【０００３】
監視用端末器７および制御用端末器４にはそれぞれアドレスが設定され、監視用端末器７に監視入力が与えられると、監視用端末器７から伝送ユニット１へ監視入力に対応する監視データが伝送され、伝送ユニット１では監視データを受け取ると、アドレスによって監視用端末器７との対応関係が設定された制御用端末器４に対して監視データに対応した制御データを伝送し、制御用端末器４を介して照明負荷８を制御する。
【０００４】
上記の伝送ユニット１は信号線Ｌｓに対して、図８（ａ）（ｂ）のような形式の伝送信号Ｖｓを送出する。この伝送信号Ｖｓは、信号送出開始を示すスタートパルス信号ＳＹ、信号モードを示すモードデータ信号ＭＤ、監視用端末器７や制御用端末器４を各別に呼び出すためのアドレスデータを伝送するアドレスデータ信号ＡＤ、照明負荷８を制御するための制御データを伝送する制御データ信号ＣＤ、伝送エラーを検出するためのチェックサムデータ信号ＣＳ、監視用端末器７や制御用端末器４からの返送信号を受信するタイムスロットである信号返送期間ＷＴよりなる複極（±２４Ｖ）の時分割多重信号であり、パルス幅変調によってデータが伝送されるようになっている。
【０００５】
各監視用端末器７および各制御用端末器４では、信号線Ｌｓを介して受信した伝送信号Ｖｓのアドレスデータが、自らに設定されているアドレスデータに一致すると、伝送信号Ｖｓから制御データを取り込むとともに、伝送信号Ｖｓの信号返送期間ＷＴに同期して監視データを電流モードの信号（信号線Ｌｓを適当な低インピーダンスを介して短絡することにより送出される信号）として返送する。
【０００６】
また、伝送ユニット１は、常時は伝送信号Ｖｓに含まれるアドレスデータをサイクリックに変化させて監視用端末器７および制御用端末器４を順次アクセスする常時ポーリングを行う常時ポーリング手段を備えている。常時ポーリングの際には、伝送信号Ｖｓに含まれるアドレスデータが一致した監視用端末器７または制御用端末器４では、伝送信号Ｖｓに含まれる制御データを取り込むことになる。一方、伝送ユニット１には、いずれかの監視用端末器７が発生した割込信号Ｖｉ（図８（ｃ）参照）を受信したときに、割込信号Ｖｉを発生した監視用端末器７を検出した後、その監視用端末器７にアクセスして監視データを返送させる割込ポーリング手段も設けられている。
【０００７】
すなわち、伝送ユニット１では、常時ポーリング中に何れかの監視用端末器７から発生した割込信号Ｖｉを伝送信号Ｖｓのスタートパルス信号ＳＹに同期して検出すると、割込ポーリング手段によって伝送ユニット１からモードデータ信号ＭＤを割込ポーリングモードとした伝送信号Ｖｓを送出する。割込信号Ｖｉを発生した監視用端末器７では、割込ポーリングモードで伝送された伝送信号Ｖｓに含まれるアドレスデータの上位ビットが自己のアドレスの上位ビットに一致すると、その伝送信号Ｖｓの信号返送期間ＷＴに同期して自己のアドレスの下位ビットを返信データとして返送する。
【０００８】
このようにして、割込信号Ｖｉを発生した監視用端末器７のアドレスを伝送ユニット１が獲得すると、伝送ユニット１では、獲得したアドレスを用いて当該監視用端末器７に監視データの返送を要求する伝送信号Ｖｓを送出し、割込信号Ｖｉを発した監視用端末器７は監視入力に対応した監視データを返信データとして伝送ユニット１に返送する。なお、伝送ユニット１の割込ポーリング手段は、割込信号Ｖｉを発生した監視用端末器７から下位アドレスが返送されなければ、上位アドレスを変更して割込ポーリングモードの伝送信号Ｖｓを再送する。
【０００９】
そして、伝送ユニット１では、割込信号Ｖｉを発した監視用端末器７から監視データを受け取ると、アドレスの対応関係によって監視用端末器７に予め対応付けられている制御用端末器４に対する制御データを生成し、この制御データを含む伝送信号Ｖｓを信号線Ｌｓに送出し、制御用端末器４を介して照明負荷８を制御する。
【００１０】
ここで、監視用端末器７と制御用端末器４とに個別に設定されるアドレス（個別アドレス）は、端末器を単位として設定されるチャンネルと、監視入力（例えばスイッチや各種センサ）および照明負荷８の回路を識別する負荷番号との組であって、現状の製品ではチャンネルは６４チャンネル、負荷番号は各チャンネルに対して４回路ずつ設定可能になっている。つまり、各監視用端末器７および各制御用端末器４にチャンネルが設定され、各監視用端末器７には最大で４個の監視入力を入力可能であり、各制御用端末器４には最大で４個の照明負荷８が接続可能になっている。したがって、合計２５６回路の照明負荷８が制御可能である。ここに、監視入力と照明負荷８との回路は、アドレスの対応関係によって関係付けられた監視入力と照明負荷８との組を意味し、発生した監視入力に対応して制御される照明負荷８が１つの回路を構成する。
【００１１】
上述のような監視入力と照明負荷８との対応関係は、伝送ユニット１が備えるメモリ（図示せず）に関係データとして設定される。すなわち、施工時において、各監視用端末器７および各制御用端末器４へのアドレスの設定が終了した後、監視入力と照明負荷８との対応関係を関係データとして伝送ユニット１に設定することにより、各監視用端末器７に与えられる監視入力に対応付けて所望の照明負荷８を制御することが可能になる。
【００１２】
ところで、上述のような照明制御システムにおいて、屋外からの自然光を利用し、屋外が明るい場合には照明負荷８の光出力を低減することで、電力消費の低減を図ったシステムが従来提案されている。このような照明制御システムでは、図９に示すように、建物の部屋１００の天井１０２において窓１０１側の天井部分に照度センサを具備した照度センサ付き端末器２を設置し、当該照度センサ付き端末器２では、照度センサにより窓１０１を通して採光する自然光の明るさ（照度）を検知し、照度センサの検知照度とと予め設定された照度レベルとの明暗を比較する。そして、照度センサ付き端末器２では、照度センサの検知照度が所定の照度レベルよりも明るくなると、上記の伝送処理を経て、対応する照明負荷８を消灯させるような監視データを伝送ユニット１に返送するとともに、照度センサの検知照度が所定の照度レベルよりも暗くなると、上記の伝送処理を経て、対応する照明負荷８を点灯させるような監視データを伝送ユニット１に返送する。尚、東西に面した窓では時間帯による照度変化が大きいため、照度センサ付き端末器２は北面の窓１０１に照度センサを向けて設置するのが好ましい。
【００１３】
上記のシステムでは、照度センサの検知照度と所定の照度レベルとの明暗に応じて、対応する照明負荷を点灯又は消灯させるだけであるが、より細かな制御を行うために、照度センサ付き端末器２に複数段階の照度レベルを設定し、照度センサの検知照度と各照度レベルとの明暗をそれぞれ比較した結果をもとに、各照度レベルに応じて伝送ユニット１に返送する監視データを異ならせることで、複数台の照明負荷を異なる制御状態で制御できるようにした照明制御システムも従来提案されている（例えば特許文献１参照）。
【００１４】
特許文献１に開示された照明制御システムでは、照度センサ付き端末器２に、照明負荷の動作状態を変更する基準となる照度レベルとして、例えば２つの照度レベルＬ１，Ｌ２（Ｌ１＜Ｌ２）が設定されており、各照度レベルごとに照度センサ付き端末器２が返送する監視データのアドレス（グループ制御アドレス）を異ならせている。すなわち、照度センサ付き端末器２では、照度センサの検知照度が照度レベルＬ２より明るい場合、照明エリア内に設置された複数台の照明負荷を全て消灯させる監視データを上記の伝送処理を経て伝送ユニット１に返送する。また、照度センサ付き端末器２では、照度センサの検知照度が照度レベルＬ２よりも暗く且つ照度レベルＬ１よりも明るい場合は、一部の照明負荷のみを間引き点灯させる監視データを伝送ユニット１に返送し、さらに照度センサの検知照度が照度レベルＬ１よりも暗い場合は、全ての照明負荷を点灯させる監視データを上記の伝送処理を経て伝送ユニット１に返送する。このように、照度センサ付き端末器２に対して照度レベルを複数設定し、各々の照度レベルに応じて返送する監視データを異ならせることで、複数台の照明負荷を全て点灯させる全点灯状態、一部の照明負荷のみを点灯させる間引き点灯状態、複数台の照明負荷を全て消灯させる全消灯状態とに制御状態を切り替えることができ、より細かな制御を行うことができる。尚、グループ制御アドレスとは、複数台の制御用端末器４を１つのグループとし、グループ内の制御用端末器４を一括してオン又はオフさせるグループ制御に対応付けて設定されたアドレスであり、各々の照度レベルごとに監視データとして返送されるアドレスとして、複数台の制御用端末器４を個別に設定された動作状態で制御可能なパターン制御のアドレスを用いることも上記の特許文献１に開示されている。
【先行技術文献】
【特許文献】
【００１５】
【特許文献１】特開２００４−１１９１５５号公報
【発明の概要】
【発明が解決しようとする課題】
【００１６】
上述した特許文献１の照明制御システムにおいて、季節によって太陽の南中高度が変化すると、それに応じて、窓１０１を通して部屋１００内に入射する太陽光の入射角度が変化するため、照度センサ付き端末器２の照度センサに入射する自然光の光量も変化することになる。すなわち、夏期には冬期に比べて太陽の南中高度が高く、部屋内に差し込む自然光の入射角度（水平面に対する入射光の角度）が大きくなるので、照度センサ付き端末器２の照度センサに入射する自然光が少なくなり、照度センサによる検知照度が実際の照度よりも暗くなることが考えられる。この場合、屋外から差し込む自然光が十分明るいにも関わらず、照度センサによる検知照度が所定の照度レベルよりも暗くなる可能性があり、照度センサ付き端末器２が、対応する照明負荷８を、必要以上の明るさで点灯させてしまい、無駄な電力消費が発生するという問題があった。
【００１７】
このような意図しない照明負荷の点灯を防止するためには、季節に応じて照度センサ付き端末器２に設定される照度レベルの値を設定し直せばよいが、従来の照度センサ付き端末器２では、天井面に配置される端末器本体に、照度レベルを設定するための設定スイッチが設けられているので、照度レベルを設定する作業が高所での作業となり、照度レベルを設定するのに手間がかかるという問題があった。
【００１８】
本発明は上記問題点に鑑みて為されたものであり、その目的とするところは、検知照度と照度レベルとの明暗に応じて監視データを発生する照明制御システムにおいて照度レベルの設定を容易に変更できる照明制御システムを提供することにある。
【課題を解決するための手段】
【００１９】
上記目的を達成するために、請求項１の発明は、対応する照明負荷の点灯状態を制御する制御用端末器と、照明負荷による照明エリアに入射する自然光の照度を検出する照度センサと、照度センサの検知照度と複数個の照度レベルとの明暗に応じて対応する照明負荷を制御するための監視データを発生する設定機能付き照度監視端末器と、制御用端末器及び設定機能付き照度監視端末器が信号線を介して接続される伝送ユニットとを備え、伝送ユニットは、各端末器に割り当てられた個別のアドレスを用いて各端末器を識別し、各端末器との間で時分割多重伝送方式により伝送信号を授受するとともに、設定機能付き照度監視端末器から監視データを取得すると、予めアドレスの対応関係が設定された制御用端末器により対応する照明負荷を制御させており、設定機能付き照度監視端末器は、信号線を介して伝送信号を授受する伝送処理部と、複数個で１組の照度レベルを複数組記憶する照度レベル記憶部と、照度レベル記憶部に記憶された複数組の照度レベルから所望の組の照度レベルを選択する操作を行うための選択操作部と、選択操作部によって選択された組の複数個の照度レベルと照度センサの検知照度との明暗をそれぞれ比較し、各照度レベルとの明暗に応じた監視データを発生する制御処理部とを備えたことを特徴とする。
【００２０】
請求項２の発明は、請求項１の発明において、設定機能付き照度監視端末器は、対応する複数台の照明負荷のうち点灯させる照明負荷の組み合わせが異なる複数の監視データを記憶する監視データ記憶部を備え、制御処理部は、照度センサの検知照度と、照度レベル記憶部に記憶された複数個の照度レベルとの明暗に応じて、各照明負荷の所定時間当たりの制御回数が均等になるように、監視データ記憶部から選択した監視データを出力することを特徴とする。
【発明の効果】
【００２１】
請求項１の発明によれば、設定機能付き照度監視端末器の選択操作部を用いて、照度レベル記憶部に記憶された複数組の照度レベルから所望の組の照度レベルを選択する操作を行うと、制御処理部は、選択された組の複数個の照度レベルと照度レベルの検知照度との明暗に応じた監視データを発生するので、検知照度との比較に用いる照度レベルの設定を簡単な操作で変更することができる。例えば季節によって太陽の南中高度が変化すると、それに応じて太陽光の入射角度が変化し、照度センサに入射する自然光の光量が変化するのであるが、設定機能付き照度監視端末器の設定操作部を用いて照度レベルの値を季節に応じて変化させることで、省電力を図りつつ、所望の明るさを確保することが可能な照明制御システムを実現することができる。
【００２２】
請求項２の発明によれば、複数の照明負荷の一部を間引き点灯する場合でも、各照明負荷の所定時間当たりの制御回数が均等になるように、制御処理部が監視データ記憶部から監視データを選択して出力しているので、制御対象である複数台の照明負荷の制御回数を均等にすることで、照明負荷の交換時期を略同じ時期とすることができ、また照明負荷の明るさのばらつきを低減することもできる。
【図面の簡単な説明】
【００２３】
【図１】（ａ）は本実施形態の照明制御システムに用いられる照度センサ付き端末器のブロック図、（ｂ）は設定機能付き照度監視端末器のブロック図である。
【図２】同上のシステム構成図である。
【図３】同上に用いられる設定機能付き照度監視端末器を示し、（ａ）は正面図、（ｂ）は側面図である。
【図４】同上に用いられる照度センサ付き端末器を示し、（ａ）は下側から見た外観斜視図、（ｂ）は化粧カバーを外した状態の下面図である。
【図５】同上の動作を説明し、（ａ）は照度センサの照度レベル、（ｂ）（ｃ）はグループＧ１，Ｇ２の照明負荷の動作状態の関係を示す図である。
【図６】同上の動作を説明し、（ａ）（ｃ）は照度センサの照度レベル、（ｂ）（ｄ）は照明負荷の動作状態を模式的に示す図である。
【図７】従来の照明制御システムのシステム構成図である。
【図８】（ａ）〜（ｃ）は同上に用いられる伝送信号の説明図である。
【図９】照明制御システムの施工状態を説明する説明図である。
【発明を実施するための形態】
【００２４】
本発明に係る照明制御システムの実施形態を図面に基づいて説明する。
【００２５】
図２は照明制御システムの概略的なシステム構成図であり、本システムは、対応する照明負荷（図示せず）への給電を入／切するリモコンリレー５ａ〜５ｄをオン／オフさせることで、対応する照明負荷を点灯又は消灯させる制御用端末器４と、照明負荷の照明エリアに外部から入射する自然光の明るさ（照度）を検出する照度センサを具備し当該照度センサの検知照度を監視データとして伝送ユニット１に返送する照度センサ付き端末器２と、照度レベルの設定機能を有し、監視入力として照度センサ付き端末器２の照度センサによる検知照度が与えられ、検知照度と予め設定された複数個の照度レベルとの明暗に応じて対応する照明負荷を制御するための監視データを発生する設定機能付き照度監視端末器（以下、照度監視端末器と略称す。）３とが２線式の信号線Ｌｓを介して伝送ユニット１に接続されている。各端末器２，３，４には個別のアドレスが設定されており、伝送ユニット１は、各端末器２，３，４に割り当てられた個別のアドレスを用いて個々の端末器２，３，４を識別するとともに、各端末器２，３，４との間で時分割多重伝送により伝送信号Ｖｓを授受する。ここにおいて、伝送ユニット１と各端末器２，３，４との間の信号伝送は従来例で説明した照明制御システムと同様であるので、詳細な説明は省略する。尚、図２中の６は、リモコンリレー５ａ〜５ｄを駆動するために必要な電源を供給するリモコントランスであり、伝送ユニット１、制御用端末器４、リモコンリレー５ａ〜５ｄ及びリモコントランス６は分電盤６０内に配設されている。また図２では、制御用端末器４及び照度センサ付き端末器２が１台ずつしか接続されていないが、各端末器２，４の台数は複数台でもよい。
【００２６】
図１（ａ）は照度センサ付き端末器２のブロック図であり、照度センサ付き端末器２は、対応する照明負荷の照明エリアに入射する自然光の照度を検出する照度センサ２１と、信号線Ｌｓを介して伝送信号を授受する伝送処理部２２と、自己のアドレスを設定するためのアドレス設定部２３と、端末器全体の制御を行う制御処理部２０とを備えている。ここで、制御処理部２０は、一定のサンプリング周期で照度センサ２１から検知照度を取り込むとともに、照度センサ２１から取り込んだ検知照度を監視データとして伝送処理部２２から伝送ユニット１へ返送させる。
【００２７】
また図４（ａ）は照度センサ付き端末器２を下側から見た外観斜視図、同図（ｂ）は照明センサ付き端末器２の化粧カバーを外した状態を示す下面図である。照度センサ付き端末器２は天井に取り付けて使用されるものであり、照度センサ付き端末器２の器体４０は、図１（ａ）の回路部を収納する筒状のボディ４１を備える。図４（ｂ）に示すように、ボディ４１の一面（天井に取り付ける際の下面）の周囲には外周形状が円形となる外鍔４２が延設され、他面（上面）には信号線Ｌｓが接続される端子台（図示せず）が設けられている。外鍔４２の周部には、スイッチボックスに螺合するボックスねじを挿入可能な一対の取付孔４３が形成されるとともに、ボックスねじを用いずに天井に取り付ける際に用いる取付金具４４を適用するための保持孔４５が形成される。取付金具４４は、保持孔４５の周部で外鍔４２の上面側に着脱可能に固定される支柱４４ａを有し、支柱４４ａに設けた引締ねじ４４ｂに螺合させた挟み板４４ｃを支柱４４ａに沿って上下に移動させるように構成されている。つまり、引締ねじ２４ｂの回転によって挟み板４４ｃを上下に移動させるものである。この種の取付金具４４は周知のものであって、天井材に穿孔した取付用孔の周部を外鍔４２と挟み板４４ｃとの間で挟持することによって、器体４０を天井に固定することができるようにしてある。
【００２８】
ところで、器体４０の下面（図４（ｂ）の正面）には、中央部にドーム状の可動体４６が露出する。可動体４６は内部に照度センサ２１を収納し、器体４０に対して首振り可能に取り付けられている。すなわち可動体４６は、照度センサ２１の正面方向が、器体４０の下面に対して４５度以上傾斜可能になるように器体４０に取り付けられ、且つ、照度センサ２１の正面方向を器体４０の下面の周方向における全周方向に向けることが可能になっている。また器体４０の下面において、可動体４６の周囲には自器のアドレスを設定するためのロータリスイッチ２４，２５が配置されている。照度センサ付き端末器２のアドレスは０〜６３ｃｈの範囲で設定可能であり、ロータリスイッチ２４はアドレスの十の位（０〜６）を、ロータリスイッチ２５はアドレスの一の位（０〜９）をそれぞれ設定するためのものであり、これらのロータリスイッチ２４，２５でアドレス設定部２５が構成されている。尚、外鍔４２の下面側は、外鍔４２に着脱自在に取着される化粧カバー４７によって覆われており、照度センサ２１を内蔵した可動体４６は化粧カバー４７の中央の孔４７ａから下側に露出するようになっている。
【００２９】
この照度センサ付き端末器２は、図９に示すように、建物の部屋１００の天井１０２において窓１０１側の部位に設置されており、窓１０１から入射する自然光の照度を照度センサ２１により検知し、照度センサ２１の検知照度を監視データとして伝送ユニット１へ返送する。尚、照度センサ付き端末器２は軒天井に設置して使用される場合もあるので、例えばＩＰＸ３相当の防水性能を持たせることが好ましい。
【００３０】
次に照度監視端末器３について説明する。図１（ｂ）は照度監視端末器３のブロック図であり、信号線Ｌｓを介して伝送信号を授受する伝送処理部３１と、液晶ディスプレイ（ＬＣＤ）３２と、ＬＣＤ３２の表示を制御する表示制御部３３と、照度レベルの設定操作などを行う操作スイッチからの入力を受け付ける操作入力部３４と、複数個で１組の照度レベルの設定データを複数組記憶する記憶部３５（照度レベル記憶部）と、照度監視端末器３の全体的な制御を行う制御処理部３０とを備えている。
【００３１】
図３（ａ）は照度監視端末器３の正面図、同図（ｂ）は照度監視端末器３の側面図であり、照度監視端末器３の器体５０は略箱状であって、一連のスイッチボックスに収納可能な大きさに形成されており、この器体５０の内部には、上述した図１（ｂ）の回路部が収納されている。また器体５０の前面にはＬＣＤ３２が上側部に配置されるとともに、下側部には凹部５１が設けられている。凹部５１の前面には複数個の操作スイッチ３６ａ〜３６ｆが配置されており、凹部５１を開閉自在に覆う扉５２が器体５０に取り付けられている。また、器体５０の後面には、信号線Ｌｓが接続されるねじ端子台５３が設けられている。
【００３２】
次に、この照明制御システムの動作を説明する。先ず照度監視端末器３による照明制御動作を図５に基づいて説明する。ここにおいて、照度監視端末器３の記憶部３５には複数組の照度レベルが設定されており、複数組の照度レベルの中から、中央値がＴｈ１，Ｔｈ２（Ｔｈ１＜Ｔｈ２）である２つの照度レベルＬ１，Ｌ２（Ｌ１＜Ｌ２）が選択されているものとして説明を行う。また照度監視端末器３には、各照度レベルＬ１，Ｌ２に対応した監視データ（制御アドレス）としてグループ番号Ｇ１，Ｇ２が設定されているものとする。尚、上記の照度レベルＬ１，Ｌ２は、中央値Ｔｈ１，Ｔｈ２の上下それぞれｄ％の範囲Ｗ１，Ｗ２として設定されている（図５参照）。
【００３３】
ところで、この照明制御システムでは、監視用端末器である照度監視端末器３と制御用端末器４とをアドレスによって対応付けているから、照度監視端末器３の１個のアドレスに、制御用端末器４（照明負荷）の１個の個別アドレスを対応付ける代わりに、複数個のアドレスを対応付けることが可能である。このように監視用端末器の１個のアドレスに制御側の複数個のアドレスを対応付ける方法としては、制御対象である複数台の照明負荷の動作を個別に異ならせることができるパターン制御と、制御対象である複数台の照明負荷を同一の動作状態で一括して動作させるグループ制御とがある。パターン制御とグループ制御とにはそれぞれアドレス（以下では、パターン制御のアドレスを「パターン番号」、グループ制御のアドレスを「グループ番号」という）が対応付けられる。照度監視端末器３の監視入力をパターン番号に対応付けておくと、検知照度が照度レベルよりも明るくなるか或いは照度レベルよりも暗くなると、パターン番号で指定されたパターンで複数台の照明負荷の動作を一斉に制御することができる。また照度監視端末器３の監視入力をグループ番号に対応付けておくと、検知照度が照度レベルよりも明るくなるか或いは照度レベルよりも暗くなると、グループ番号で一括されている複数台の照明負荷を同じ動作に制御することができる。尚、パターン番号やグループ番号と、パターン番号及びグループ番号によって制御される制御用端末器４のアドレスとの対応付けは、伝送ユニット１が備えるメモリ（図示せず）に記憶された関係データで設定されるのである。
【００３４】
照度センサ付き端末器２の制御処理部２０は、照度センサ２１による検知照度を所定のサンプリング周期で取り込み、伝送ユニット１との間で上述した伝送処理を行うことによって、照度センサ２１の検知照度を監視データとして伝送ユニット１に返送する。このとき、伝送ユニット１では、照度センサ付き端末器２から取得した照度センサ２１の検知照度を、予めアドレスの対応関係が設定された照度監視端末器３へ送信する。
【００３５】
ここで、照度センサ２１により検出される自然光の照度は、日の出から日没まで図５（ａ）に示すように変化するが、照度監視端末器３の制御処理部３１では、伝送処理部３１が受信した検知照度と照度レベルＬ１，Ｌ２との明暗を比較し、照度センサ２１の検知照度が照度レベルＬ１の下限値よりも暗くなってから、照度レベルＬ１の上限値より明るくなるまでの間、グループＧ１，Ｇ２の照明負荷を点灯させる監視データを発生して伝送ユニット１に送信しており、グループＧ１に対応付けられた複数台の照明負荷と、グループＧ２に対応付けられた複数台の照明負荷とを両方共に点灯させている。
【００３６】
また自然光が増加し、時刻ｔ１において照度センサ２１の検知照度が照度レベルＬ１の上限値よりも明るくなると、照度監視端末器３の制御処理部３１では、検知照度と照度レベルＬ１とを比較した結果に基づいてグループＧ２の照明負荷を一括して消灯させる監視データを発生する。このとき、伝送ユニット１では、照度監視端末器３から取得した監視データに基づき、対応する制御用端末器４によりグループＧ２の照明負荷を一括して消灯させており、グループＧ１の照明負荷のみを間引き点灯させる。
【００３７】
その後、自然光がさらに増加し、時刻ｔ２において照度センサ２１の検知照度が照度レベルＬ２の上限値よりも明るくなると、照度監視端末器３の制御処理部３１は、検知照度と照度レベルＬ２とを比較した結果に基づいてグループＧ１の照明負荷を一括して消灯させる監視データを発生する。このとき、伝送ユニット１では、照度監視端末器３から取得した監視データに基づき、対応する制御用端末器４によりグループＧ１の照明負荷を一括して消灯させており、グループＧ１，Ｇ２の照明負荷、すなわち制御対象の全ての照明負荷が消灯されることになる。
【００３８】
次に、自然光が減少し、時刻ｔ３において照度センサ２１の検知照度が照度レベルＬ２の下限値よりも暗くなると、照度監視端末器３の制御処理部３１は、検知照度と照度レベルＬ２とを比較した結果に基づいてグループＧ１の照明負荷を一括して点灯させる監視データを発生する。このとき、伝送ユニット１では、照度監視端末器３から取得した監視データに基づき、対応する制御用端末器４によりグループＧ１の照明負荷を一括して点灯させており、グループＧ１の照明負荷のみが間引き点灯される。
【００３９】
その後、自然光がさらに減少し、時刻ｔ４において照度センサ２１の検知照度が照度レベルＬ１の下限値よりも暗くなると、照度監視端末器３の制御処理部３１は、検知照度と照度レベルＬ１とを比較した結果に基づいてグループＧ２の照明負荷を一括して点灯させる監視データを発生する。このとき、伝送ユニット１では、照度監視端末器３から取得した監視データに基づき、対応する制御用端末器４によりグループＧ２の照明負荷を一括して点灯させており、グループＧ１，Ｇ２の照明負荷、すなわち制御対象の全ての照明負荷が点灯されることになる。
【００４０】
照度監視端末器３では以上のような制御動作を行うことで、自然光が照度レベルＬ２よりも明るい場合には、複数台の照明負荷を全て消灯させるとともに、自然光が照度レベルＬ１よりも暗い場合には、複数台の照明負荷を全て点灯させており、さらに自然光が照度レベルＬ１より明るく、照度レベルＬ２よりも暗い場合には一部（グループＧ１）の照明負荷のみを間引き点灯させているので、省電力を図りつつ、照明エリアを明るく照明することができる。また本実施形態では、照度レベルＬ１，Ｌ２に所定の幅（ヒステリシス）を持たせているので、境界付近で照明負荷の動作がばたつくのを防止することができる。
【００４１】
ところで、季節に応じて太陽の南中高度が変化すると、窓１０１を通して部屋１００内に入射する自然光の入射角度が変化するので、部屋１００内に差し込む自然光の明るさに変化が無い場合でも、入射光の入射角度が変化することによって、照度センサ２１の検知照度が変動し、照度センサ２１による検知照度と実際の照度との間に誤差が生じる可能性がある。したがって、照度レベルＬ１，Ｌ２の設定が、季節などの環境変化に関係無く一定の場合は、照度センサ２１による検知照度に応じて照明負荷が点灯又は消灯されるときの実際の照度がばらつく可能性があり、このような動作のばらつきを無くすためには、照度監視端末器３に設定される照度レベルを、季節などの環境変化に応じて変化させる必要があった。
【００４２】
そこで、本実施形態では照度監視端末器３において照度レベルの設定を切替可能としてあり、照度監視端末器３による照度レベルの設定動作について以下に説明を行う。図３（ａ）に示すように照度監視端末器３の前面には複数の操作スイッチ３６ａ〜３６ｆが配置されており、操作スイッチ３６ａは照度監視端末器３の動作モードを切り換えるためのモード選択スイッチであり、操作スイッチ３６ｂは、照度監視端末器３に設定された複数組の照度レベルから所望の組の照度レベルを選択するためのプログラム切替スイッチ（選択操作部）である。また操作スイッチ３６ｃ，３６ｄは例えば照度レベルを設定する際にプログラム番号や照度設定値などの数値をアップ又はダウンさせるカーソルスイッチであり、操作スイッチ３６ｅはキャンセル操作を行うためのスイッチ、操作スイッチ３６ｆは設定操作を行うためのスイッチである。
【００４３】
この照度監視端末器３の動作モードには、通常モード、照度設定モード、センサアドレス設定モード、制御アドレス設定モード、拡張アドレス設定モードの６つのモードが用意されており、モード選択スイッチ３６ａが押される毎に、制御処理部３０が、通常モード→照度設定モード→センサアドレス設定モード→制御アドレス設定モード→拡張アドレス設定モード→通常モードの順番で動作モードをサイクリックに切り替えている。
【００４４】
通常モードにおいて、制御処理部３０は、表示制御部３３によりＬＣＤ３２の表示を制御し、照度センサ付き端末器２に現在設定されている照度レベルの組を示すプログラム番号と、当該プログラム番号に対応する照度レベルＬ１，Ｌ２の中央値と、照度センサ付き端末器２の照度センサ２１による現在の検知照度とをＬＣＤ３２に表示させている。
【００４５】
照度設定モードとは、照度監視端末器３の記憶部３５に照度レベルを設定するためのモードである。モード選択スイッチ３６ａを用いて照度設定モードに切り替えられた状態で、カーソルスイッチ３６ｃ，３６ｄが押操作されると、制御処理部３０は、カーソルスイッチ３６ｃ，３６ｄからの操作入力に応じて、ＬＣＤ３２に表示されるプラグラム番号（ＰＲＧ番号）を１から６まで順番に切り替えており、ＬＣＤ３２に所望のプログラム番号が表示された状態で設定スイッチ３６ｆが押操作されると、制御処理部３０は、設定対象のプログラム番号を決定し、当該プログラム番号に対応する照度レベルＬ１，Ｌ２の中央値を順番に設定する。すなわち、制御処理部３０は、カーソルスイッチ３６ｃ，３６ｄの操作に応じて、ＬＣＤ３２に表示される照度レベルＬ１又はＬ２の値（中央値の値）を増加又は減少させるとともに、設定スイッチ３６ｆが操作されると、照度レベルＬ１又はＬ２の値が決定され、設定対象のプログラム番号に対応する照度レベルＬ１，Ｌ２の中央値が記憶部３５に登録される。
【００４６】
またセンサアドレス設定モードとは、対応する照度センサ付き端末器２のアドレスを、照度監視端末器３に設定するためのモードである。モード選択スイッチ３６ａを用いてセンサアドレス設定モードに切り替えられた状態で、カーソルスイッチ３６ｃ，３６ｄが押操作されると、制御処理部３０は、カーソルスイッチ３６ｃ，３６ｄからの操作入力に応じて、ＬＣＤ３２に表示されているセンサアドレス（つまり照度センサ付き端末器２のアドレス）を切り替えるとともに、所望のアドレスがＬＣＤ３２に表示された状態で設定スイッチ３６ｆが押操作されると、この時のセンサアドレスが、対応する照度センサ付き端末器２のアドレスとして記憶部３５に記憶される。アドレスが設定されると、制御処理部３０は、ＬＣＤ３２に制御遅延時間の初期値（例えば５分）を表示させ、カーソルスイッチ３６ｃ，３６ｄからの操作入力に応じてＬＣＤ３２に表示されている制御遅延時間を増減させる。そして、制御遅延時間が所望の値に変更された状態でユーザが設定スイッチ３６ｆを押操作すると、制御処理部３０は、この時の制御遅延時間をセンサアドレスに対応付けて記憶部３５に記憶される。
【００４７】
制御アドレス設定モードとは、２つの照度レベルＬ１，Ｌ２に対応した制御アドレスを設定するためのモードである。モード選択スイッチ３６ａを用いてセンサアドレス設定モードに切り替えられると、制御処理部３０は、先ず照度レベルＬ１に対応する制御アドレスの設定を開始し、カーソルスイッチ３６ｃ，３６ｄの押操作に応じて制御種別を個別制御、パターン制御、グループ制御、調光制御の何れかに切り替えた後、設定スイッチ３６ｆが押操作されると、照度レベルＬ１に対応する制御種別を決定する。その後、制御処理部３０では、カーソルスイッチ３６ｃ，３６ｄの操作に応じて、選択された制御種別（個別、パターン、グループ、調光）に対応するアドレス番号（個別制御の場合は制御対象の個別アドレス、パターン制御の場合はパターン番号、グループ制御の場合はグループ番号）の表示を切り替え、所望のアドレス番号が表示された状態で設定スイッチ３６ｆが押操作されると、制御種別に対応するアドレス番号が決定され、記憶部３５に登録される。このようにして照度レベルＬ１に対応する制御アドレスが設定されると、上述と同様の設定操作を行うことで、照度レベルＬ２に対応する制御アドレスが記憶部３５に設定される。
【００４８】
また拡張アドレス設定モードとは、間引き点灯を行う場合に間引き点灯する照明負荷の範囲を変更するために用いる制御アドレスを設定するモードであり、モード選択スイッチ３６ａを用いて制御処理部３０の動作モードをセンサアドレス設定モードに切り替えた状態で、カーソルスイッチ３６ｃ，３６ｄを用いて、間引き点灯範囲を切り替えるための制御アドレスが入力された後、設定スイッチ３６ｆを押操作すると、制御処理部３０が記憶部３５に拡張アドレスを記憶させる。
【００４９】
上述の各設定モードで照度レベル、センサアドレス、制御アドレス、拡張アドレスの設定が行われた後、モード切替スイッチを押操作して動作モードが通常モードに切り替えられると、照度監視端末器３の制御処理部３０は、現在選択されている照度レベルの組を示すプログラム番号（ＰＲＧ番号）と、当該プログラム番号に対応する照度レベルＬ１，Ｌ２の中央値（設定照度１，２）と、対応する照度センサ付き端末器２から監視データとして送られた照度センサ２１の検知照度とを、ＬＣＤ３２に表示させる。
【００５０】
そして、照度監視端末器３が通常モードで動作中にユーザがプログラム切替スイッチ３６ｂを押操作すると、制御処理部３０が、プログラム切替スイッチ３６ｂの切替操作に応じて、プログラム番号を１から６までサイクリックに切り替えるとともに、記憶部３５から各プログラムの照度レベルの設定値（照度レベルＬ１，Ｌ２の中央値）を読み出し、表示制御部３３によりＬＣＤ３２に、切り替えられたプログラム番号と、そのプログラムにおける照度レベルの設定値とを表示させる。切替操作が終了すると、制御処理部３０は、新たに選択されたプログラム番号に対応する照度レベルＬ１，Ｌ２の設定値と検知照度との明暗を比較し、各照度レベルＬ１，Ｌ２との明暗に応じた監視データを発生する。
【００５１】
ここで、季節に応じて太陽の南中高度が変化し、それに応じて太陽光が部屋内に入射する角度が変化すると、太陽光の入射角度の変化に応じて照度センサ付き端末器２の照度センサ２１に入射する光量が変化するため、実際の明るさと照度センサ２１の検知照度とに誤差が生じる可能性がある。したがって、検知照度との比較に用いられる照度レベルＬ１，Ｌ２が季節に関係無く一定の場合、実際の明るさと照度センサ２１の検知照度とに誤差が生じることで、制御対象の照明負荷が点灯又は消灯する時の部屋内の明るさが意図した明るさと異なってしまい、省電力の効果が十分に得られなくなる可能性があった。
【００５２】
そこで、本実施形態の照度監視端末器３では、複数個で１組の照度レベルからなるプログラムを記憶部３５に複数個（本実施形態では２個１組の照度レベルＬ１，Ｌ２で１つのプログラムが構成され、合計６プログラムまで）記憶可能にしてある。例えば季節に応じたプログラムや使用環境の変化に応じたプログラムを作成して記憶部３５に予め登録しておき、プログラム切替スイッチ３６ｂを操作してプログラム番号を変更することによって、選択されたプログラムの照度レベルＬ１，Ｌ２が検知照度との比較に使用されるから、季節などの使用環境の変化に合わせた照度レベルを用いて照度監視端末器３が対応する照明負荷の点灯／消灯を制御することができ、照明負荷を所望の動作状態で動作させることができる。
【００５３】
また、季節などの使用環境の変化に合わせて、検知照度との明暗の比較に用いられる照度レベルＬ１，Ｌ２の値を変更したい場合でも、照度監視端末器３のプログラム切替スイッチ３６ｂを押操作するだけで、記憶部３５に予め登録されている照度レベルＬ１，Ｌ２を、明暗の判定に使用する照度レベルに設定することができるから、照度レベルＬ１，Ｌ２の値を変更する作業を容易に行うことができる。
【００５４】
また、照度監視端末器３が、拡張アドレス設定モードで設定された拡張アドレスを監視データとして出力する場合は、照度センサ２１の検知照度に応じて照明負荷を間引き点灯する際に、間引き点灯される照明負荷の範囲を、制御動作が１回行われる毎に切り替えることができる。尚、照度センサ２１の検出照度が照度レベルＬ１よりも暗く、照明負荷が全て点灯している状態から、検出照度が照度レベルＬ１より明るくなって照明負荷を間引き点灯させた状態、検出照度が照度レベルＬ２より明るくなって照明負荷が全て消灯している状態、その後検出照度が照度レベルＬ２より暗くなって照明負荷を間引き点灯させた状態へと順番に移行した後、検出照度が照度レベルＬ１より暗くなって照明負荷を全て点灯させた状態へと戻るまでを１回分の制御動作としており、通常は１回分の制御動作が１日につき１回行われることになる。
【００５５】
ここで、照度監視端末器３において、拡張アドレスを用いて制御アドレスを切り替える場合の動作について図６を参照して説明する。尚、図６（ａ）（ｂ）は（２ｎ−１）回目の動作を説明する説明図、同図（ｃ）（ｄ）は（２ｎ）回目の動作を説明する説明図である（但し、ｎは１以上の整数）。
【００５６】
先ず、（２ｎ−１）回目の動作について説明する。尚、（２ｎ−１）回目の制御動作では、照度レベルＬ１よりも明るくなった場合の制御アドレスとしてパターン番号Ｐ１（照明負荷８ｂ，８ｄを点灯、照明負荷８ａ，８ｄを消灯）、照度レベルＬ１よりも暗くなった場合の制御アドレスとしてパターン番号Ｐ２（照明負荷８ａ〜８ｄを全て点灯）が設定されるとともに、照度レベルＬ２よりも明るくなった場合の制御アドレスとしてパターン番号Ｐ５（照明負荷８ａ〜８ｄを全て消灯）、照度レベルＬ２よりも暗くなった場合の制御アドレスとしてパターン番号Ｐ６（照明負荷８ｂ，８ｄを点灯、照明負荷８ａ，８ｃを消灯）が設定されている。
【００５７】
照度監視端末器３の制御処理部３０は、伝送ユニット１から送信された照度センサ２１の検知照度と照度レベルＬ１，Ｌ２との明暗を常時比較しており、午前中で検知照度が照度レベルＬ１の下限値よりも暗い時間帯では、監視データとしてパターン番号Ｐ２を発生し、照明負荷８ａ〜８ｄを全て点灯させる。
【００５８】
自然光が増加し、時刻ｔ１において照度センサ２１の検知照度が照度レベルＬ１の上限値よりも明るくなると、照度監視端末器３の制御処理部３０は、検知照度と照度レベルＬ１とを比較した結果に基づいて、監視データとしてパターン番号Ｐ１を発生し、照明負荷８ｂ，８ｄを点灯、照明負荷８ａ，８ｃを消灯させることで、照明負荷８ｂ，８ｄのみを間引き点灯する（図６（ｂ）参照）。
【００５９】
その後、自然光がさらに増加し、時刻ｔ２において照度センサ２１の検知照度が照度レベルＬ２の上限値よりも明るくなると、照度監視端末器３の制御処理部３０は、検知照度と照度レベルＬ２とを比較した結果に基づいて、監視データとしてパターン番号Ｐ５を発生し、照明負荷８ａ〜８ｄを全て消灯させる。
【００６０】
次に、自然光が減少し、時刻ｔ３において照度センサ２１の検知照度が照度レベルＬ２の下限値よりも暗くなると、照度監視端末器３の制御処理部３０は、検知照度と照度レベルＬ２とを比較した結果に基づいて、監視データとしてパターン番号Ｐ６を発生し、照明負荷８ｂ，８ｄを点灯、照明負荷８ａ，８ｃを消灯させることで、照明負荷８ｂ，８ｄのみを間引き点灯する。
【００６１】
その後、自然光がさらに減少し、時刻ｔ４において照度センサ２１の検知照度が照度レベルＬ１の下限値よりも暗くなると、照度監視端末器３の制御処理部３０は、、検知照度と照度レベルＬ１とを比較した結果に基づいて、監視データとしてパターン番号Ｐ２を発生し、照明負荷８ａ〜８ｄを全て点灯させる。
【００６２】
そして、照度監視端末器３の制御処理部３０では、（２ｎ−１）回目の制御動作を終えると、記憶部３５から拡張アドレスを読み出して、照度レベルＬ１，Ｌ２に対応する制御アドレスを拡張アドレスに変更しており、検知照度が照度レベルＬ１よりも明るくなった場合の制御アドレスとしてパターン番号Ｐ３（照明負荷８ａ，８ｃを点灯、照明負荷８ｂ，８ｄを消灯）、照度レベルＬ１よりも暗くなった場合の制御アドレスとしてパターン番号Ｐ４（照明負荷８ａ〜８ｄを全て点灯）が設定されるとともに、照度レベルＬ２よりも明るくなった場合の制御アドレスとしてパターン番号Ｐ７（照明負荷８ａ〜８ｄを全て消灯）、照度レベルＬ２よりも暗くなった場合の制御アドレスとしてパターン番号Ｐ８（照明負荷８ａ，８ｃを点灯、照明負荷８ｂ，８ｄを消灯）が設定される。
【００６３】
ここで、（２ｎ）回目の制御運動について図６（ｃ）（ｄ）を参照して説明する。照度監視端末器３の制御処理部３０は、伝送ユニット１から送信された照度センサ２１の検知照度と照度レベルＬ１，Ｌ２との明暗を常時比較しており、午前中で検知照度が照度レベルＬ１の下限値よりも暗い時間帯では、監視データとしてパターン番号Ｐ４を発生し、照明負荷８ａ〜８ｄを全て点灯させる。
【００６４】
自然光が増加し、時刻ｔ５において照度センサ２１の検知照度が照度レベルＬ１の上限値よりも明るくなると、照度監視端末器３の制御処理部３０は、検知照度と照度レベルＬ１とを比較した結果に基づいて、監視データとしてパターン番号Ｐ３を発生し、照明負荷８ａ，８ｃは点灯させるとともに、照明負荷８ｂ，８ｄを消灯させることで、照明負荷８ａ，８ｄのみを間引き点灯する（図６（ｄ）参照）。
【００６５】
その後、自然光がさらに増加し、時刻ｔ６において照度センサ２１の検知照度が照度レベルＬ２の上限値よりも明るくなると、照度監視端末器３の制御処理部３０は、検知照度と照度レベルＬ２とを比較した結果に基づいて、監視データとしてパターン番号Ｐ７を発生し、照明負荷８ａ〜８ｄを全て消灯させる。
【００６６】
次に、自然光が減少し、時刻ｔ７において照度センサ２１の検知照度が照度レベルＬ２の下限値よりも暗くなると、照度監視端末器３の制御処理部３０は、検知照度と照度レベルＬ２とを比較した結果に基づいて、監視データとしてパターン番号Ｐ８を発生し、照明負荷８ａ，８ｃを点灯、照明負荷８ｂ，８ｄを消灯させることで、照明負荷８ａ，８ｃのみを間引き点灯させる。
【００６７】
その後、自然光がさらに減少し、時刻ｔ８において照度センサ２１の検知照度が照度レベルＬ１の下限値よりも暗くなると、照度監視端末器３の制御処理部３０は、検知照度と照度レベルＬ１とを比較した結果に基づいて、監視データとしてパターン番号Ｐ４を発生し、照明負荷８ａ〜８ｄを全て点灯させる。
【００６８】
そして、照度監視端末器３の制御処理部３０が（２ｎ）回目の制御動作を終えると、照度レベルＬ１，Ｌ２に対応する制御アドレスを拡張アドレスから元の制御アドレスに戻しており、照度レベルＬ１に対応する制御アドレスとしてＰ１，Ｐ２を、照度レベルＬ２に対応する制御アドレスとしてＰ５，Ｐ６をそれぞれ発生する。
【００６９】
以上のように、照度監視端末器３の制御処理部３０では、一連の制御動作を１回行うごとに、各々の照度レベルに対応して発生する監視データ（制御アドレス）を変更しており、間引き点灯する照明負荷の範囲を照明負荷８ａ，８ｃ又は照明負荷８ｂ，８ｄに切り替えているので、照明負荷８ａ，８ｃの組と照明負荷８ｂ，８ｄの組とで所定時間当たりの制御回数を均等にでき、複数台の照明負荷８ａ〜８ｄの制御回数を均等にすることで、照明負荷８ａ〜８ｄの交換時期を均等化できるとともに、照明負荷８ａ〜８ｄの明るさのばらつきを低減することができる。
【００７０】
尚、本実施形態では４台の照明負荷８ａ〜８ｄを、照明負荷８ａ，８ｃの組と、照明負荷８ｂ，８ｄの組とに分けて、照明負荷８ａ，８ｃの組と、照明負荷８ｂ，８ｄの組とを交互に間引き点灯させることで、各照明負荷の所定時間当たりの制御回数を均等にしているが、間引き点灯する組み合わせを上記の組み合わせに限定する趣旨のものではなく、複数台の照明負荷の所定時間当たりの制御回数を均等にできれば、どのような組み合わせで間引き点灯を行ってもよい。
【００７１】
また本実施形態では、照度センサ２１を具備した照度センサ付き端末器２と、照度レベルや拡張アドレスの設定機能、及び、検知照度と照度レベルとの明暗に応じて監視データを発生する制御機能を具備した照度監視端末器３とを別々に設けているが、照度監視端末器３に照度センサ２１を備えるようにしてもよいし、照度監視端末器３には照度レベルや拡張アドレスの設定機能のみを持たせ、設定機能付き照度監視端末器３で設定された照度レベルや拡張アドレスを伝送ユニット１を介して照度センサ付き端末器２に記憶させ、照度センサ２１の検知照度と照度レベルとの明暗に応じて監視データを発生する制御機能を照度センサ付き端末器２に備えるようにしてもよい。
【００７２】
また更に設定機能付き照度監視端末器３には、照度レベルや拡張アドレスの設定機能のみを持たせ、設定機能付き照度監視端末器３で設定された照度レベルや拡張アドレスを伝送ユニット１に記憶させるとともに、照度センサ付き端末器２の検知照度と照度レベルとの明暗に応じて監視データを発生する制御機能を伝送ユニット１に備えるようにしてもよい。
【符号の説明】
【００７３】
１  伝送ユニット
２  照度センサ付き端末器
３  設定機能付き照度監視端末器
４  制御用端末器
８  照明負荷
２０  制御処理部
２１  照度センサ
２２  伝送処理部
２３  アドレス設定部
３０  制御処理部
３１  伝送処理部
３４  操作入力部
３５  記憶部（照度レベル記憶部）
３６ａ〜３６ｆ  操作スイッチ（選択操作部）
Ｌｓ  信号線
【図１】
2011029034.tif 000003
【図２】
2011029034.tif 000004
【図３】
2011029034.tif 000005
【図４】
2011029034.tif 000006
【図５】
2011029034.tif 000007
【図６】
2011029034.tif 000008
【図７】
2011029034.tif 000009
【図８】
2011029034.tif 000010
【図９】
2011029034.tif 000011